(57)【要約】【課題】ＬＥＤ信号灯の提供。【解決手段】本発明は、複数のＬＥＤが色別に配設される交通信号灯において、同じ色に発光する信号灯に複数のバイザーを配設し、各バイザーにＬＥＤを配設することにより、ＬＥＤから発せられる光の拡散角が効率よく制限されると共に、風の影響が極力抑えられる。【選択図】図２
2012510123.tif 000002
【特許請求の範囲】
【請求項１】
前面に複数のＬＥＤから光が発せられるように開口部が形成され、内部に前記ＬＥＤを点灯させる回路基板が配設されるＬＥＤ信号灯において、
前記ＬＥＤは前記回路基板の前面に配設され、それぞれのＬＥＤの外周面には前記それぞれのＬＥＤから発せられる光の拡散角を制限するバイザーが配設されることを特徴とするＬＥＤ信号灯。
【請求項２】
前記バイザーは、地面を向く部分が開口され、前記それぞれのＬＥＤよりも大径の筒状を呈することを特徴とする請求項１に記載のＬＥＤ信号灯。
【請求項３】
前記バイザーの前記回路基板の前面からの突出長は、前記ＬＥＤの前記回路基板の前面からの突出長よりも大きいことを特徴とする請求項１又は請求項２に記載のＬＥＤ信号灯。
【請求項４】
前面に複数のＬＥＤから光が発せられるように開口部が形成され、内部に前記ＬＥＤを点灯させる回路基板が配設されるＬＥＤ信号灯において、
前記回路基板の前面には、前記ＬＥＤのそれぞれが内部に配設され、前記ＬＥＤから発せられる光の拡散角を制限するバイザーホールが前記ＬＥＤと同数穿設されたバイザープレートが配設されることを特徴とするＬＥＤ信号灯。
【請求項５】
前記バイザーホールは、前記ＬＥＤの外径よりも大径の円筒部と、前記円筒部の下部から地面に向かい延びる角形部と、を有することを特徴とする請求項４に記載のＬＥＤ信号灯。
【請求項６】
前記バイザーホールは、地面を基準として、上部から下部に進むにつれて次第に間隔が大きくなる曲線状を呈することを特徴とする請求項４に記載のＬＥＤ信号灯。
【請求項７】
前記バイザープレートの前記回路基板の前面からの突出長は、前記ＬＥＤの前記回路基板の前面からの突出長よりも大きいことを特徴とする請求項４から請求項６のいずれか１項に記載のＬＥＤ信号灯。
【請求項８】
前面に複数のＬＥＤから光が発せられるように開口部が形成され、内部に前記ＬＥＤを点灯させる回路基板が配設されるＬＥＤ装置において、
前記ＬＥＤ装置は、ＬＥＤ電光板、ＬＥＤ看板、ＬＥＤ標識板のうちのいずれか一つであり、
前記ＬＥＤは前記回路基板の前面に配設され、それぞれのＬＥＤの外周面には前記それぞれのＬＥＤから発せられる光の拡散角を制限するバイザーが配設されることを特徴とするＬＥＤ装置。
【請求項９】
前面に複数のＬＥＤが配設された回路基板と、
前記ＬＥＤのうち同じ色の光に発光するＬＥＤの光の拡散を制限するように前記回路基板に配設される複数のバイザーと
を備え、
前記バイザーの内部に少なくとも１以上のＬＥＤが収納されることを特徴とするＬＥＤ信号灯。
【請求項１０】
前記バイザーは、下部が開口された筒状を呈することを特徴とする請求項９に記載のＬＥＤ信号灯。
【請求項１１】
前記バイザーは、連続する多角形の格子網状を呈することを特徴とする請求項９に記載のＬＥＤ信号灯。
【請求項１２】
複数のＬＥＤが配設された回路基板と、
前記回路基板の前面に配設され、内部に少なくとも１以上のＬＥＤが収納され、前記少なくとも１以上のＬＥＤから発せられる光の拡散角を制限するバイザーホールが複数穿設されたバイザープレートと
を備えることを特徴とするＬＥＤ信号灯。
【発明の詳細な説明】
【技術分野】
【０００１】
本発明は、ＬＥＤ信号灯に配設されて光の拡散角を制限する庇（以下、バイザーと称する）を同じ色に発光する信号灯に複数配設し、各バイザーに少なくとも１以上のＬＥＤを配設したＬＥＤ信号灯に関する。
【背景技術】
【０００２】
信号灯は、通常、一方向の道路を走行する車両の正面側に配設されており、他方向の走行車両に混同を与えることを防止するために拡散角を制限するバイザーが配設される。
【０００３】
図１は、従来のＬＥＤ信号灯の斜視図である。
【０００４】
同図を参照すると、従来のＬＥＤ信号灯１０は、内部に回路基板及び電源装置が組み込まれる灯器１と、灯器１の一方の面に配設され、回路基板に同心円状にＬＥＤが集まって配設されて赤色、緑色、黄色の光にそれぞれ発光するＬＥＤ群２と、ＬＥＤ群２に配設されてＬＥＤ群を形成する個別のＬＥＤを保護する透明保護キャップと、それぞれのＬＥＤ群２から発せられる光が拡散される角度を４０°に制限して他方向から信号灯を眺める運転者に混同を与えることを防止するバイザー３と、を備える。
【０００５】
バイザー３は、ＬＥＤ群２の外周面から突出され、下方が開口された筒状を呈する不透明体から形成されて、光が拡散されることを防止してＬＥＤ群２の光が進行する中心線から一定角度以内の運転者にのみＬＥＤ群２から発せられる光を視認させる。
【０００６】
ところが、かようなバイザー３は、信号灯の全体に風圧を加重させて信号灯の支柱を補強することを余儀なくされ、しかも、信号灯が風によって揺れることもあれば、信号灯から外される事故が発生することもある。
【０００７】
さらに、信号灯から突出されるバイザー３は、見栄えを悪くする。
【発明の概要】
【発明が解決しようとする課題】
【０００８】
本発明はかような問題点を解消するためになされたものであり、その目的は、複数のＬＥＤが配設されて現示される信号灯において、複数のバイザーが配設され、バイザーの内部に少なくとも１以上のＬＥＤを配設することにより、都市の見栄えを良くすると共に、ＬＥＤから発せられる光の拡散角を制限するＬＥＤ信号灯を提供するところにある。
【課題を解決するための手段】
【０００９】
前記目的を達成するために、本発明は、前面に複数のＬＥＤから光が発せられるように開口部が形成され、内部に前記ＬＥＤを点灯させる回路基板が配設されるＬＥＤ信号灯において、前記ＬＥＤは前記回路基板の前面に配設され、それぞれのＬＥＤの外周面には前記それぞれのＬＥＤから発せられる光の拡散角を制限するバイザーが配設されるＬＥＤ信号灯を提供する。
【００１０】
また、本発明は、前面に複数のＬＥＤから光が発せられるように開口部が形成され、内部に前記ＬＥＤを点灯させる回路基板が配設されるＬＥＤ信号灯において、前記回路基板の前面には、前記ＬＥＤのそれぞれが内部に配設され、前記ＬＥＤから発せられる光の拡散角を制限するバイザーホールが前記ＬＥＤと同数穿設されたバイザープレートが配設されることを特徴とするＬＥＤ信号灯を提供する。
【００１１】
さらに、本発明は、前面に複数のＬＥＤから光が発せられるように開口部が形成され、内部に前記ＬＥＤを点灯させる回路基板が配設されるＬＥＤ装置において、前記ＬＥＤ装置は、ＬＥＤ電光板、ＬＥＤ看板、ＬＥＤ標識板のうちのいずれか一つであり、前記ＬＥＤは前記回路基板の前面に配設され、それぞれのＬＥＤの外周面には前記それぞれのＬＥＤから発せられる光の拡散角を制限するバイザーが配設されることを特徴とするＬＥＤ装置を提供する。
【００１２】
さらに、本発明は、前面に複数のＬＥＤが配設された回路基板と、前記ＬＥＤのうち同じ色の光に発光するＬＥＤの光の拡散を制限するように前記回路基板に配設される複数のバイザーと、を備えるが、前記バイザーの内部に少なくとも１以上のＬＥＤが収納されることを特徴とするＬＥＤ信号灯を提供する。
【００１３】
さらに、本発明は、複数のＬＥＤが配設された回路基板と、前記回路基板の前面に配設されるが、内部に少なくとも１以上のＬＥＤが収納され、前記少なくとも１以上のＬＥＤから発せられる光の拡散角を制限するバイザーホールが複数穿設されたバイザープレートと、を備えるＬＥＤ信号灯を提供する。
【発明の効果】
【００１４】
本発明によれば、ＬＥＤから発せられる光の拡散角を制限するが、外部に突出されたバイザーがないことから、風の影響を受けず、しかも、様々なデザインを創出して都市の見栄えを良くするＬＥＤ信号灯が提供される。
【図面の簡単な説明】
【００１５】
【図１】従来のＬＥＤ信号灯の斜視図である。
【図２】本発明の第１実施形態によるＬＥＤ信号灯の断面図である。
【図３】図２に示すＬＥＤ信号灯において、回路基板におけるＬＥＤの配列状態を示す平面図である。
【図４】図２に示すＬＥＤ信号灯におけるそれぞれのＬＥＤ及びバイザーの斜視図である。
【図５】図２に示すＬＥＤ信号灯におけるＬＥＤ及びバイザーの平面図である。
【図６】図２に示すＬＥＤ信号灯において、ＬＥＤが配設された回路基板における保護キャップの配設状態の斜視図である。
【図７】本発明の第２実施形態によるＬＥＤ信号灯の主要部を説明する斜視図である。
【図８】図７におけるＡ−Ａ'線断面図である。
【図９】本発明の第２実施形態によるＬＥＤ信号灯のバイザーホールの他の形態の正面図である。
【図１０】本発明の第３実施形態によるＬＥＤ信号灯を説明する構成図である。
【図１１】本発明の第４実施形態によるＬＥＤ信号灯を説明する構成図である。
【図１２】本発明の第５実施形態によるＬＥＤ信号灯を説明する構成図である。
【図１３】本発明の第６実施形態によるＬＥＤ信号灯を説明する構成図である。
【発明を実施するための形態】
【００１６】
以下、添付図面に基づき、本発明の実施形態によるＬＥＤ信号灯を説明する。
【００１７】
図２は、本発明の第１実施形態によるＬＥＤ信号灯の断面図であり、図３は、図２に示すＬＥＤ信号灯において、回路基板におけるＬＥＤの配列状態を示す平面図であり、図４は、図２に示すＬＥＤ信号灯におけるそれぞれのＬＥＤ及びバイザーの斜視図であり、図５は、図２に示すＬＥＤ信号灯におけるＬＥＤ及びバイザーの平面図であり、そして図６は、図２に示すＬＥＤ信号灯において、ＬＥＤが配設された回路基板における保護キャップの配設状態の斜視図である。
【００１８】
以下、第１実施形態によるＬＥＤ信号灯２０を説明する。前面に円形開口部が形成された灯器２１には回路基板２３が配設され、回路基板２３には開口部に向かって光が発せられるように複数のＬＥＤ２５が配設される。なお、それぞれのＬＥＤ２５の周りにはＬＥＤ２５から発せられる光の拡散を制限するバイザー２７が周設される。
【００１９】
図４及び図５に示すように、バイザー２７は、下部が開口された円筒状を呈し、円筒の直径はＬＥＤ２５の外径よりも大きく、バイザー２７の回路基板面からの突出長は、ＬＥＤ２５の回路基板面からの突出長よりも大きい。
【００２０】
また、バイザー２７の前面には透明保護キャップ２９が配設されて内部のＬＥＤ２５及びバイザー２７を保護する。
【００２１】
さらに、電源部（図示せず）から回路基板２３に電源が供給されてＬＥＤ２５が点灯される。
【００２２】
第１実施形態によるＬＥＤ信号灯２０において、回路基板２３、ＬＥＤ２５及び保護キャップ２９は灯器２１に固設されると説明されたが、当業者であれば、一つの灯具として灯器２１に着脱される一体の装置に構成されてもよいことが理解できるであろう。
【００２３】
図７は、本発明の第２実施形態によるＬＥＤ信号灯の主要部を説明する斜視図であり、図８は、図７におけるＡ−Ａ'線断面図である。
【００２４】
本発明の第２実施形態によるＬＥＤ信号灯３０は、第１実施形態における問題点、すなわち、バイザー２７をそれぞれのＬＥＤ２５に別々に配設する工程に多大な作業工数が要されるという問題点を解消するために講じられたものであり、それぞれのバイザー２７の代わりに、複数のバイザーホール３３付きバイザープレート３１を回路基板２３の前面に配設し、バイザーホール３３にＬＥＤ２５を配設してなる。
【００２５】
以下、第２実施形態によるＬＥＤ信号灯３０について説明するが、第１実施形態と同じ部分については説明を省略し、相違点のみを説明する。
【００２６】
回路基板２３の前面には複数のＬＥＤ２５が配設され、且つ、回路基板２３の前面には、ＬＥＤ２５の光が前面に発せられるが、拡散角を制限するバイザーホール３３が穿設された不透明材質のバイザープレート３１が配設される。
【００２７】
バイザープレート３１にはＬＥＤ２５と同数のバイザーホール３３が穿設され、バイザーホール３３は、ＬＥＤ２５の外径よりも大きな側壁を有する円筒ホール状を呈するが、下部から下方に向かい延びる溝を有することにより、下部にＬＥＤ２５から発せられる光が拡散されることが防止される。
【００２８】
図８に示すように、ＬＥＤ２５の上面からＬＥＤ２５を取り囲むバイザーホール３３の上部内側壁までの距離をｄ１とし、ＬＥＤ２５の下面からＬＥＤ２５を取り囲むバイザーホール３３の下部内側までの距離をｄ２としたとき、ｄ２はｄ１よりも大きくなければならない。
【００２９】
図９は、本発明の第２実施形態によるＬＥＤ信号灯のバイザーホールの他の形態の正面図である。
【００３０】
第２実施形態によるバイザーホール３３は、筒状ホールと、筒状のホールの下部から地面に向かい延びる角形のホールと、を有するのに対し、図９に示すバイザーホール３５は、ＬＥＤ２５を中心として上狭下広状の曲面を呈する。このため、ＬＥＤ２５から発せられる光は、地面方向には拡散角が広くなり、上部に進むにつれて拡散角が狭くなる。
【００３１】
前記第１実施形態及び第２実施形態はＬＥＤ信号灯に関するものであるが、本発明は、ＬＥＤ信号灯に制限されるものではなく、拡散角の範囲を制限するためにバイザーが使用されるＬＥＤ装置、例えば、ＬＥＤ電光板、ＬＥＤ看板、ＬＥＤ標識板などに使用可能である。
【００３２】
図１０は、本発明の第３実施形態によるＬＥＤ信号灯を説明する構成図である。
【００３３】
第３実施形態によるＬＥＤ信号灯は、回路基板２３に複数のＬＥＤ２５と、複数のバイザーと、が配設されてなるが、各バイザー４１は、下部が開口され、２つの半月状曲面部を突き合わせてなり、それぞれの半月状曲面部の内部に一つのＬＥＤ２５が収納される。
【００３４】
図１１は、本発明の第４実施形態によるＬＥＤ信号灯を説明する構成図である。
【００３５】
図１１に示す第４実施形態によるＬＥＤ信号灯は、回路基板２３に複数のＬＥＤ２５と、複数のバイザー４３と、が配設されてなるが、各バイザー４３の内部には２つのＬＥＤ２５が収納される。このとき、各バイザー４３は、下部が開口された筒状を呈する。
【００３６】
図１２は、本発明の第５実施形態によるＬＥＤ信号灯を説明する構成図である。
【００３７】
図１２に示す第５実施形態によるＬＥＤ信号灯は、図１１に示す第４実施形態と同じ形状のバイザーの内部に３つのＬＥＤ２５が収納される。
【００３８】
図１３は、本発明の第６実施形態によるＬＥＤ信号灯を説明する構成図である。
【００３９】
図１３に示す第６実施形態は、回路基板２３に４角形が連設されて格子網状を呈するバイザー４５が配設され、各４角形の網中に１又は２以上のＬＥＤが収納される。
【００４０】
さらに、図７に示すバイザープレート３１に、図１０から図１３に示すバイザーの形状と同じ形状のバイザーホールを形成し、各バイザーホール内に１又は２以上のＬＥＤを収納することにより、作業工数を低減することができる。
【００４１】
本発明に係るバイザー又はバイザープレート付き装置は、単にＬＥＤ信号灯に制限されるものではなく、ＬＥＤ電光板、ＬＥＤ看板、ＬＥＤ標識板などに採用可能であり、本発明の権利範囲は後述する特許請求の範囲によって定められるべきである。
【図１】
2012510123.tif 000003
【図２】
2012510123.tif 000004
【図３】
2012510123.tif 000005
【図４】
2012510123.tif 000006
【図５】
2012510123.tif 000007
【図６】
2012510123.tif 000008
【図７】
2012510123.tif 000009
【図８】
2012510123.tif 000010
【図９】
2012510123.tif 000011
【図１０】
2012510123.tif 000012
【図１１】
2012510123.tif 000013
【図１２】
2012510123.tif 000014
【図１３】
2012510123.tif 000015
【国際調査報告】
2012510123.tif 000016
2012510123.tif 000017
2012510123.tif 000018
2012510123.tif 000019